(57)【特許請求の範囲】
【請求項１】
給水加熱器の遮蔽立壁に設けられ、縦方向の幅と横方向の幅が異なるマンホールを、該マンホールの内側縁に外縁部が当接されることにより内側から閉塞し、内側に押し込み、約π／２の角度回転された後に水平方向に転倒されることにより該マンホールから取外し、取付けされる大型マンホール内蓋の取外・取付装置であって、本体アーム部と走行部と２本のレールとからなり、前記本体アーム部は、アームと、該アームを約π／２の角度左右に回転可能で回転後停止するアーム回転手段とを有し、かつ、該アームは前記マンホール蓋表面に設けられた係合部と取外し自在に係合し、係合状態でマンホール蓋を水平方向に転倒できる係合先端を有し、前記係合先端は、マンホール蓋と接する面の下稜に曲面（Ｒ）が形成されており、マンホール蓋のピン孔と係合先端のピン孔の枢軸止め部分がピボット回動するものであり、前記走行部は、前記本体アーム部を載置、支持し、前記レール上でアームを含む前記本体アーム部の上下方向への移動を行なうレベル調整用の昇降ジャッキと、前記レールの上面を前後方向に走行して該本体アーム部のアーム先端を前記マンホールから抜出し又は挿入する複数軸の走行車輪と、該走行車輪と共働して前記レールを挟持することにより前記本体アーム部の転倒及び脱輪を防止するように前記レールの下面に配置されたカムホロアーと、前記本体アーム部の前後方向への移動を規制する車輪ロック機構とを有することを特徴とする大型の給水加熱器マンホール蓋取外・取付装置。
【発明の詳細な説明】
【０００１】
【発明の属する技術分野】
本発明は、火力発電所及び原子力発電所における給水加熱器のような遮蔽壁内の大型給水加熱器内部の点検、修理などを行なうために設けられたマンホールの閉塞・開放作業に用いられる、給水加熱器マンホール蓋取外・取付装置に関するものであり、特に、該大型マンホール蓋の閉塞・開放作業を容易且つ安全になしうるのに好適な装置に関する。
【０００２】
【従来の技術】
従来、このような大型マンホール蓋のための取外・取付装置は、図１に示すような天秤棒タイプの装置であって、以下に説明するように鋼管パイプで製作したアームを一点でチェーンブロックで吊り下げ、バランスをとりながら使用していたため、大きな問題があった。
【０００３】
すなわち、図１を参照して従来の天秤棒タイプの装置の操作について更に詳細に説明すると、図１（ａ）に示されるように、大型マンホール蓋（１）には、装置取付け孔（３）を孔設したマンホール蓋取外・取付用ピース（１２）が設けられており、大型マンホール蓋（１）と蓋固定部材（１０）とは、ボルト（１１）などを介して２箇所で取付け固定されているが、この大型マンホール蓋（１）をマンホールから取外す場合には、蓋固定部材（１０）との係合を解かれた後、図１（ｂ）に示されるように、鋼管パイプで製作したアーム（１０１）をチェーンブロック（１０２）によって一点で吊り下げる。給水加熱器の遮蔽立壁（Ａ）に設けられたマンホール（２）の大型マンホール蓋（１）は、内蓋式であり、図１（ｃ）に示されるように、横長又は縦長の楕円形であるため、その取外し操作は、先ず、マンホール蓋（１）のマンホール蓋取外・取付用ピース（１２）の装置取付け孔（３）に、図示しないピンを介してアーム（１０１）の先端を係合させ、チェーンブロック（１０２）を若干張ってバランスをとり装置のセット状態とし、次にマンホール蓋（１）をハンマーの柄などで衝撃を与えてマンホール（２）との密着状態を解除する。このときアーム（１０１）には、マンホール蓋（１）の８０ｋｇ前後の荷重がかかり、アンバランスとなるため、４〜５名の作業員で支えてバランスを保つ必要がある。バランスを保ちながらアーム（１０１）を手で内側へ押し込み、９０°回転させ、マンホール蓋（１）を横長状態から、図１（ｄ）に示すような縦長状態にし、次に図１（ｅ）、図１（ｆ）に示されるように、マンホール蓋（１）の装置取付け孔（３）に挿入されている図示しないピンを支点としてアーム（１０１）先端の係合部分をピボット回転させることによりマンホール蓋（１）を水平方向に転倒させる。この時の荷重は、１６０ｋｇ前後と推定され、作業員を７〜８名配置して支える。さらにバランスを保ちながら、チェーンブロックを巻き上げ、マンホール蓋（１）を引き出す、というものであった。
【０００４】
全てが人力による作業での８０ｋｇ前後という重量物の扱いは、容易ではなく、特に、取付けの微調整等に困難が伴い、時間と労力を要する。つまり、このような従来の天秤棒タイプ装置では、すべて、作業員が支え、操作していたこと、約８０ｋｇのマンホール蓋（１）を、一点で吊り下げのため、操作中の極端なふらつき、それによるマンホール蓋（１）に装着しているガスケットや、給水加熱器（Ａ）自体の損傷などの誘発等、安全面で格段の配慮などを要するものであった。そして、狭い作業環境で重量物を扱う不安定な装置、それに伴う不安定な作業などから、勘と度胸と経験による操作・作業であったことは否定できない現実であった。
【０００５】
従来の原子力発電所の給水加熱器における大型マンホール蓋は、重量が４７ｋｇ前後であったが、発電施設の近代化が進む中で、リーク対策としてその品質を保証するためには、マンホール蓋の厚みは厚くなり、重量が８０ｋｇ前後と重くなる傾向にあるため、天秤棒タイプ装置による操作は、その８０ｋｇ前後という重量により、従来のものより極端にマンホール蓋取外し取付け作業時に、ふらつきが発生して、芯だし調整が困難となり、マンホール蓋周囲に設けられているパッキン面の接触損傷・取付け時のパッキンのずれ等の不具合点が多発する。一方、安全面においては、マンホール蓋が内蓋タイプで楕円形となっているため、給水加熱器からの取外し、給水加熱器への取付け時には、約９０度回転させる操作と水平に傾ける操作等が必要であるが、これらの操作を全て手作業で実施しているので、安全面には格段の配慮を要している。加えて、原子力発電所においては図６に示されるように、かような給水加熱器が多く配置されている。
【０００６】
【発明が解決しようとする課題】
本発明の目的は、上記従来技術の問題点に鑑み、多大な人力を要することなく容易かつ確実にマンホール蓋の取外し取付けができ、安全面、作業効率化面において改善を図ることができ、構造上複雑な部分がなく、したがって、故障が少なく軽量で分解、運搬、保管及び組立てが簡単な給水加熱器マンホール蓋取外・取付装置を提供することにある。
【０００７】
【課題を解決するための手段】
本発明者らは、上記課題解決のための試作機の試験運用において、サポートや配管に干渉し使用できない加熱器があり、また、作業場所が、１階と２階にあり、２分割しても重く、給火、運搬移動に苦労したという問題点をさらに解決するため、装置の設置方法、軽量化、可動範囲の再検討等、詳細設計及び作成、テストを繰り返し本発明に到達した。
【０００８】
斯して上記課題は、本発明の（１）「給水加熱器の遮蔽立壁に設けられ、縦方向の幅と横方向の幅が異なるマンホールを、該マンホールの内側縁に外縁部が当接されることにより内側から閉塞し、内側に押し込み、約π／２の角度回転された後に水平方向に転倒されることにより該マンホールから取外し、取付けされる大型マンホール内蓋の取外・取付装置であって、本体アーム部と走行部と２本のレールとからなり、前記本体アーム部は、アームと、該アームを約π／２の角度左右に回転可能で回転後停止するアーム回転手段とを有し、かつ、該アームは前記マンホール蓋表面に設けられた係合部と取外し自在に係合し、係合状態でマンホール蓋を水平方向に転倒できる係合先端を有し、前記走行部は、前記本体アーム部を載置、支持し、前記レール上でアームを含む前記本体アーム部の上下方向への移動を行なうレベル調整用の昇降ジャッキと、前記レールの上面を前後方向に走行して該本体アーム部のアーム先端を前記マンホールから抜出し又は挿入する複数軸の走行車輪と、該走行車輪と共働して前記レールを挟持することにより前記本体アーム部の転倒及び脱輪を防止するように前記レールの下面に配置されたカムホロアーと、前記本体アーム部の前後方向への移動を規制する車輪ロック機構とを有することを特徴とする給水加熱器マンホール蓋取外・取付装置」により解決される。
【０００９】
また上記課題は、本発明の（２）「前記アームの係合先端は、前記蓋表面上の係合片のピン孔（ｐ２）と合致するピン孔（ｐ１）を有し、ピン孔（ｐ１）及びピン孔（ｐ２）を挿通するピンにより枢軸止めされ、前記蓋が転倒又は直立される際、該枢軸止めされた部分が回動可能であることを特徴とする前記第（１）項記載の給水加熱器マンホール蓋取外・取付装置」、
（３）「該アームの係合先端は、マンホール蓋と接する面の少なくとも一稜に曲面が形成され、前記ピン孔（ｐ１）及びピン孔（ｐ２）の枢軸止めされた部分が回動することにより前記係合先端の曲面と接する前記蓋表面の接触位置がずれ、該接触位置のずれにより前記蓋表面の重心点がやや上方に移動して、前記蓋の転倒及び直立に要する力が少なくなることを特徴とする前記第（２）項記載の給水加熱器マンホール蓋取外・取付装置」、
（４）「前記マンホール蓋の上方にワイヤー係止部が設けられ、前記本体アーム部の基端部に蓋転倒用ジャッキが設けられ、さらに、該ワイヤー係止部からアーム内を経て前記本体アーム部基端のジャッキに連なる蓋転倒用のワイヤーが設けられたことを特徴とする前記第（１）項乃至第（３）項の何れかに記載の給水加熱器マンホール蓋取外・取付装置」、
（５）「前記アーム回転手段が、該アームに設けられた回転レバーであり、かつ、該回転レバーは、該アームを被巻収納する筒体の外周上に約π／２の角度で設けられた２ケ所の凹部に係止されることを特徴とする前記第（１）項乃至第（４）項の何れかに記載の給水加熱器マンホール蓋取外・取付装置」、
（６）「走行部が、走行車輪用のブレーキを有することを特徴とする前記第（１）項乃至第（５）項の何れかに記載の給水加熱器マンホール蓋取外・取付装置」、及び／又は、
（７）「前記レールは、架台上に固定、及び取外しできるように載置され、該架台の脚部は伸縮自在であることを特徴とする前記第（１）項乃至第（６）項の何れかに記載の給水加熱器マンホール蓋取外・取付装置」により解決される。
【００１０】
【発明の実施の形態】
以下、図面を参照して本発明を具体的かつ詳細に説明するが、これら具体例は、本発明の理解を容易にするためのものであって、本発明を制限するためのものではない。なお、図面の符号については、従来例と実施例に共通するものは、同一符号を用いている。
【００１１】
図２は、本発明に係る給水加熱器マンホール蓋取外・取付装置の１具体例を示すものである。この例の装置は、図２（ｂ）に示されるような給水加熱器の遮蔽立壁（Ａ）に設けられ、縦方向の幅と横方向の幅が異なるマンホール（２）を、該マンホール（２）の内側縁に外縁部が当接されることにより内側から閉塞し、約π／２の角度回転された後に水平方向に転倒されることにより該マンホールから取外し、取付けされる大型マンホール内蓋（１）の取外・取付装置であって、図２（ａ）に示されるように、本体アーム部（Ｂ）と走行部（Ｃ）と２本のレール（Ｄ）とからなる。この例における装置は、本体アーム部（Ｂ）と走行部（Ｃ）と２本のレール（Ｄ）とに分解して容易に運搬、収納することができ、かつ作業現場にて簡単に組み立てることができる。
【００１２】
本体アーム部（Ｂ）は、アーム（Ｂ１）と、アーム（Ｂ１）を約π／２の角度左右に回転可能で回転後係止するアーム回転手段としてのアーム回転レバー（Ｂ２）とを有し、またアーム（Ｂ１）はマンホール蓋（１）表面に設けられた係合部（Ｊ）と取り外し自在に係合し、かつ、係合状態でマンホール蓋（１）を水平方向に転倒できる係合先端（Ｊ１）を有する。なお、係合部（Ｊ）は、前述のマンホール蓋取外・取付用ピース（１２）に相当するものである。
【００１３】
走行部（Ｃ）は、本体アーム部（Ｂ）を支持しレール（Ｄ）上で本体アーム部（Ｂ）の上下方向への移動を行なうため、ジャッキハンドル（Ｃ７）により作動されるレベル調整用昇降ジャッキ（Ｃ１）と、レール（Ｄ）の上面を前後方向に走行して本体アーム部（Ｂ）の先端をマンホール（２）から抜出し及び挿入する複数車軸（Ｃ２）の走行車輪（Ｃ３）と、走行車輪（Ｃ３）と共働してレール（Ｄ）を挟持することにより本体アーム部（Ｂ）の転倒及び脱輪を防止するようにレール（Ｄ）の下面に配置されたカムホロアー（Ｃ４）と、本体アーム部（Ｂ）の前後方向への移動を規制する車輪ロック機構（Ｃ５）とを有する。この例においては走行部（Ｃ）には、走行車輪用のブレーキ（Ｃ６）が設けられているが、ブレーキ（Ｃ６）は必須のものではなく、省略することができる。
【００１４】
再び図２（ａ）に戻って、アーム（Ｂ１）にはアーム回転手段として回転レバー（Ｂ２）が、設けられ、この回転レバー（Ｂ２）は、アーム（Ｂ１）を被巻収納する筒体（Ｂ１１）の外周上に約π／２の角度で設けられた２ケ所の凹部（Ｂ１２）に係止される。必ずしも本発明において必要不可欠ではないが、筒体（Ｂ１１）は、本体アーム部（Ｂ）の走行ロック後のアーム（Ｂ１）の微前進及び微後退を可能とするため、外周に設けられた雄ネジ面部分が、躯体構造物の支承部位内に設けられた雌ネジ孔に螺合することにより躯体構造物に支承されている。さらにまた、レール（Ｄ）は、架台（Ｄ７）上に固定、及び取外しできるように載置されるが、この架台（Ｄ７）の４本の脚部（Ｄ８）は伸縮部（Ｄ９）の回転により伸縮自在になっている。またこの例では底部には架台（Ｄ７）の移動を容易にするためのキャスター（Ｄ１０）が設けられているが、このようなキャスター（Ｄ１０）は、本発明においては必須のものでなく、したがって省略することができる。
【００１５】
図３は、アーム（Ｂ１）の係合先端（Ｊ１）とマンホール蓋（１）表面に設けられた係合部（Ｊ）と取り合いの１例を示すものである。この例においては図３（ａ）に示されるように、アーム（Ｂ１）の係合先端（Ｊ１）は、マンホール蓋（１）表面上の２枚の係合片（Ｊ２），（Ｊ２）の各ピン孔（Ｐ２）と合致するピン孔（Ｐ１）を有し、係合片（Ｊ２），（Ｊ２）の間の間隙（Ｊ３）に係合先端（Ｊ１）を挿入し、ピン孔（Ｐ２）とピン孔（Ｐ１）を合致させた後、ピン孔（Ｐ２）及びピン孔（Ｐ１）に挿入される頭付ピン（Ｐ）及び六角ナット（Ｐ３）、又はバタフライナットなどにより枢軸止めされ、蓋（１）が転倒又は直立される際にはこの枢軸止めは回動する。無論、このような係合先端（Ｊ１）と係合片（Ｊ２）の関係を逆にして、アーム（Ｂ１）に係合片（Ｊ２）を設け、蓋（１）表面に係合先端（Ｊ１）を設けてもよい。また、アーム（Ｂ１）を蓋（１）表面に近づけたときに両者間に縣架されるような係合部品とすることもできる。
【００１６】
図３（ｂ）に示されるように、この例の装置におけるアーム（Ｂ１）の係合先端（Ｊ１）には、マンホール蓋（１）と接する面の下稜に曲面（Ｒ）が形成されており、ピン孔（Ｐ１）とピン孔（Ｐ２）の枢軸止め部分がピボット回動することにより係合先端（Ｊ１）の曲面（Ｒ）と接する蓋（１）表面の接触位置がずれ、この接触位置のずれにより蓋（１）表面の重心点が係合先端（Ｊ１）の中心からやや下方に移動して蓋（１）が転倒方向に容易に傾斜し易くなり、これにより小さい力で蓋（１）を転倒することが容易になる。
【００１７】
本実施例では、説明のため、アーム（Ｂ１）の係合先端（Ｊ１）には、アーム（Ｂ１）に直接曲面（Ｒ）を設けたアーム（Ｂ１）と曲面（Ｒ）の一体構造を示したが、係合部（Ｊ）の形状は、給水加熱器の機種の相違、蓋の係合先端の相違に対応できるようにするため、また多種類のアームに対応できるようにするため、アーム（Ｂ１）の係合先端（Ｊ１）に、着脱自在の数種類のアタッチメントを準備しておくのが好都合である。その一例を図４に示す。
【００１８】
図４において、アタッチメント（Ｅ）は、機種に見合う標準的な曲面（Ｒ）、ピン孔（Ｐ１）等を設けると共に、アーム（Ｂ１）の係合先端（Ｊ１）に嵌合係止する突出部（Ｅ１）がピン孔（Ｐ２）を穿孔して設けられ、アーム（Ｂ１）の係合先端（Ｊ１）は突出部（Ｅ１）が嵌入する嵌入孔（Ｂ９）と、ピン（Ｐ）がピン孔（Ｐ２）と係合する係合孔（Ｂ１０）を設けたものであり、突出部（Ｅ１）を嵌入孔（Ｂ９）に嵌入し、ピン（Ｐ）をもって係合孔（Ｂ１０）を通じ、ピン孔（Ｐ２）に押入して、ピン（Ｐ）の先端部にピン止め孔を孔設して、割ピンを使用し、また、ピン（Ｐ）の先端部は、ナット（Ｐ５）締めなどで係止する。そして、アタッチメント（Ｅ’）は大きな曲面（Ｒ’）を設けたものであり、アタッチメント（Ｅ”）は小さな曲面（Ｒ”）を設けたものであり、アタッチメント（Ｅ'''）は太い突出部（Ｅ１）のものであり、アタッチメント（Ｅ''''）は細い突出部（Ｅ１）を有するものである。
このような各種アタッチメントの取り揃えは、いろいろな状況変化に対応でき、大幅なコストダウンともなり、生産性の向上をもたらす。
【００１９】
また蓋（１）の取付け時には、曲面（Ｒ）と接する蓋（１）表面の接触位置のずれが逆方向に生じて蓋（１）の直立が容易になる。そして、急激な転倒を制御するため、マンホール蓋（１）の上方にワイヤー係止部（Ｓ）が設けられ、本体アーム部（Ｂ）の基端部（Ｂ８）には蓋転倒用ジャッキ（Ｂ３）が設けられており、ワイヤー係止部（Ｓ）と本体アーム部（Ｂ）の基端（Ｂ８）部分の間にはワイヤー（Ｗ）が張られており、このワイヤー（Ｗ）はワイヤー係止部（Ｓ）から孔（Ｂ４）の位置から基端部（Ｂ８）まで管状アーム（Ｂ１）内を通り、ジャッキ（Ｂ３）に連なっている。そしてこのジャッキ（Ｂ３）は、ウォーム歯車（Ｂ５）の１端に設けられ、ウォーム歯車（Ｂ５）はウォーム（Ｂ６）と歯合し、ウォーム（Ｂ６）の端に設けられた蓋転倒用ジャッキハンドル（Ｂ７）を回転することにより、容易にワイヤー（Ｗ）を緊張させ又は緊張を解くような回転力をジャッキ（Ｂ３）に伝えることができ、かつハンドル（Ｂ７）の回転を止めることにより、ワイヤー（Ｗ）の緊張力に抗してジャッキ（Ｂ３）を回転停止させることができる。したがって、転倒方向は、係合先端（Ｊ１）の曲面（Ｒ）により規制され、急激な転倒の抑制はワイヤー（Ｗ）で行なわれる。また、この例におけるワイヤー係止部（Ｓ）は平時には、マンホール（２）の外側に配置される蓋固定部材（１０）との係合に使用される。
【００２０】
図２の例の装置は、次のように使用される。すなわち、マンホール（２）の蓋固定部材（１０）との係合を解かれたマンホール蓋（１）の係合片（Ｊ２）に、アーム（Ｂ１）先端が位置するように、本体アーム部（Ｂ）をレール（Ｄ）で前進させ、走行車輪用のブレーキ（Ｃ６）により車輪（Ｃ３）の走行を停止させ、車輪ロック機構（Ｃ５）により車輪（Ｃ３）をロックし、レベル調整用の昇降ジャッキ（Ｃ１）によりアーム（Ｂ１）の位置を調節し、アーム（Ｂ１）の係合先端（Ｊ１）のピン孔（Ｐ１）とマンホール蓋（１）表面に設けられた係合部（Ｊ２）のピン孔（Ｐ２）が合致するように係合片（Ｊ２），（Ｊ２）の間の間隙（Ｊ３）に係合先端（Ｊ１）を挿入し、頭付ピン（Ｐ）をピン孔（Ｐ２）及びピン孔（Ｐ１）に挿入し、ピン（Ｐ）の端部を六角ナット（Ｐ３）により枢軸止めすることにより装置をマンホール蓋（１）にセットし、アーム回転用レバー（Ｂ２）によりアーム（Ｂ１）を９０°回転させ、本体アーム部（Ｂ）の基端（Ｂ８）部分から延びるワイヤー（Ｗ）をワイヤー係止部（Ｓ）まで張ってマンホール蓋（１）の水平方向への転倒準備をし、次に転倒用ジャッキ（Ｂ３）を回転してワイヤー（Ｗ）の張りを漸次解き、マンホール蓋（１）を水平方向に転倒させ、車輪ロック機構（Ｃ５）を解き、車輪（Ｃ３）を蓋（１）から後退方向に走行させた後に停止させて、マンホール蓋（１）をマンホール（２）から取り外す。マンホール蓋（１）のマンホール（２）への取付けは逆の順序で行われる。
【００２１】
図５は、本発明に係る給水加熱器マンホール蓋取外、取付装置の他の１例を示すものである。この例の装置は図に示されるように、本体アーム部（Ｂ）がレール（Ｄ）に縣架されており、アーム（Ｂ１）は最低部に位置しているので走行が安定し転倒し難くなる。アーム昇降用ジャッキ（Ｃ１）はレール（Ｄ）上に配置されている。また走行車輪用のブレーキ（Ｃ６）が上部に露出して配されているのでブレーキ操作が容易になり、したがって前進後退の調節が容易になるため、アーム（Ｂ１）の微前進後退機構を設ける必要がなくなるが、他方、アーム（Ｂ１）の係合先端（Ｊ１）のピン孔（Ｐ１）とマンホール蓋（１）表面に設けられた係合部（Ｊ２）のピン孔（Ｐ２）が合致するように係合片（Ｊ２），（Ｊ２）の間の間隙（Ｊ３）に係合先端（Ｊ１）を挿入し、頭付ピン（Ｐ）をピン孔（Ｐ２）及びピン孔（Ｐ１）に挿入し、ピン（Ｐ）の端部を六角ナット（Ｐ３）により枢軸止めし、本体アーム部（Ｂ）の基端（Ｂ８）部分から延びるワイヤー（Ｗ）をワイヤー係止部（Ｓ）まで張ることにより装置をマンホール蓋（１）にセットする操作には図２の装置の場合よりも若干難がある。
【００２２】
図２に示される本発明の給水加熱器マンホール蓋取外・取付装置を、福島第一原子力発電所の定期検査時に４号機で実際に使用してその効果をチェックした。
その結果、装置本体がマンホール蓋を完全に支えることができ、マンホール蓋の水質内外への出し入れ、回転および傾け操作が簡単に行なえるようになり、また、作業員の各作業がレバーやハンドルの操作だけとなり、小さな力で全作業ができるようになった。
作業中のマンホール蓋のふらつき等はまったくなく、また、蓋の状態を確認しながら作業ができ、蓋の接触による損傷の心配がなくなった。
パッキンが確実に所定の位置にあることを確認しながら、また、微調整しつつ復旧作業ができるため、過水時パッキン部からのリークの不安がなくなった。
従来工法では、４〜５名で開放復旧を実施していたが、開発装置使用により２名で実施可能となり、２〜３名の削減ができた。
１基当たりの作業時間が約４０分から１４分になり、２６分短縮することができた。また、従来工法では１日２基の解放または復旧が限度であったが、開発装置使用により１日５基が可能となるというように、品質管理面、安全管理面、作業効率面できわめて優れた効果を奏するものである。これら結果は表１のように纏められる。
【００２３】
【表１】
0004262338.tif 000002
【００２４】
【発明の効果】
以上、詳細かつ具体的な説明から明らかなように、本発明の給水加熱器マンホール蓋取外・取付装置においては、大型マンホール蓋へのセットが容易であり、前進後退操作をレール上で安定した状態で走行移動できるようにし、大型マンホール蓋の加熱水室内外への出し入れを簡単にできる。また、大型マンホール蓋の９０度回転はアーム部のレバーで楽に行なうことができ、ロックすることができる。更に、大型マンホール蓋の支点を重心からはずすような係合状態を採すことにより、水平方向への傾け操作が楽になり、転倒操作はアーム内にワイヤーを通し、ジャッキのリールでワイヤーの緊張を調整できるようにし、また、任意の位置で自由に調整し、止められるようにしたことにより、さほどの大きな力を要することなく行なうことができ、さらに、微調整可能な昇降用ジャッキを設けたことにより、マンホールの蓋の加熱水室内外への移動や、取付け時の芯だしが簡単になるという、極めて優れた効果を発揮する。
【図面の簡単な説明】
【図１】従来の装置の１例を示すものである。
【図２】本発明の給水加熱器マンホール蓋取外・取付装置の１具体例を説明するものである。
【図３】本発明の給水加熱器マンホール蓋取外・取付装置とマンホール蓋との係合態様の１例を示すものである。
【図４】本発明の給水加熱器マンホール蓋取外・取付装置とマンホール蓋との係合態様のアタッチメントを示すものである。
【図５】本発明の給水加熱器マンホール蓋取外・取付装置の他の１具体例を説明するものである。
【図６】原子力発電所における諸施設の配置の１例を示すものである。
【符号の説明】
１  大型マンホール蓋
２  マンホール
３  装置取付け孔
１０  蓋固定部材
１１  ボルト
１２  マンホール蓋取外・取付用ピース
１０１  鋼管パイプ製アーム
１０２  チェーンブロック
Ａ    遮蔽立壁
Ｂ    本体アーム部
Ｂ１  アーム
Ｂ２  アーム回転手段(回転レバー)
Ｂ３  蓋転倒用ジャッキ
Ｂ４  孔
Ｂ５  ウォーム歯車
Ｂ６  ウォーム
Ｂ７  蓋転倒用ジャッキハンドル
Ｂ８  本体アーム部基端
Ｂ９  嵌入孔
Ｂ１０  係合孔
Ｂ１１  筒体
Ｂ１２  凹部
Ｃ    走行部
Ｃ１  昇降ジャッキ
Ｃ２  車軸
Ｃ３  走行車輪
Ｃ４  カムホロアー
Ｃ５  車輪ロック機構
Ｃ６  走行車輪用のブレーキ
Ｃ７  ジャッキハンドル
Ｄ    レール
Ｄ７  レール架台
Ｄ８  脚部
Ｄ９  伸縮部
Ｄ１０  キャスター
Ｅ  アタッチメント
Ｅ１  突出部
Ｊ    係合部
Ｊ１  係合先端
Ｊ２  係合片
Ｊ３  間隙
Ｐ    頭付ピン
Ｐ１  ピン孔
Ｐ２  ピン孔
Ｐ３  六角ナット
Ｐ４  ナット
Ｒ    曲面
Ｓ    ワイヤー係止部
Ｗ    ワイヤー
【図１】
0004262338.tif 000003
【図２】
0004262338.tif 000004
【図３】
0004262338.tif 000005
【図４】
0004262338.tif 000006
【図５】
0004262338.tif 000007
【図６】
0004262338.tif 000008